(57)【要約】【課題】駆動モータの回転駆動力を、回転反射板に確実に伝達するとともに、スムーズな回転摺動が可能で、組立作業が容易な回転灯装置及びその回転灯装置を使用した遊技機を提供する。【解決手段】反射板固定部(66)に回転反射板(64)の固定板部(64B)を固定すると、固定板部(64B)と、支持部材(69)との間に、回転反射板(64)が回転するためのクリアランスが確保されるように形成されていることを特徴とする。【選択図】図１１
2008029665.tif 000002
【特許請求の範囲】
【請求項１】
一方側に開口する本体ケースと、
前記本体ケースの前記開口を覆うカバーと、
照射光を発する光源を有する光源ユニットと、
前記光源の周囲を回転可能な回転反射板と、
前記回転反射板を前記光源の周囲で回転させるための駆動モータを有する回転装置と、
前記光源を制御する制御部とを備え、
前記本体ケース及び前記カバーの内部に、前記光源ユニット、前記回転反射板、前記回転装置及び前記制御部を内装させるとともに、前記光源からの照射光を、前記回転装置により回転する前記回転反射板に反射させて、周囲に回転させる回転灯装置において、
前記本体ケースは、
端部を閉塞する閉塞板と、前記閉塞板の周縁から略直角に延設されて前記閉塞板の周縁を覆う周板とを備え、
前記回転装置は、
前記閉塞板から離すようにして前記本体ケースに固定したベースプレートと、
前記ベースプレートの反閉塞板側に、前記光源及び前記駆動モータの出力軸の回転に連動する減速機構と、
前記回転反射板を固定するとともに前記減速機構を介して前記駆動モータの回転駆動力が伝達される回転リングとを備え、
前記ベースプレートの前記閉塞板側の位置に前記制御部及び前記駆動モータを設けるとともに、前記駆動モータの出力軸を、前記ベースプレートの反閉塞板側に突出させて、前記減速機構を連動させ、
前記光源ユニットは、
前記光源と、
前記光源を固定するための光源固定部材と、
前記光源固定部材を固定するための支持部材とを備え、
前記支持部材は、
前記ベースプレートへ固定するための固定部と、
外側に向かってフランジ状に突出する外向きフランジ部とを備え、
前記回転リングは、
前記ベースプレートの反閉塞板側に位置して、前記減速機構を介して、前記駆動モータの出力軸に連動するリングギアと、
前記支持部材の前記外向きフランジ部の前記ベースプレート側に位置して、内側に向かってフランジ状に突出する内向きフランジ部と、
反閉塞板側に設けた前記回転反射板を固定する反射板固定部とを備え、
前記回転反射板は、前記反射板固定部に固定される固定板部と、前記固定板部に連設された反射板とを備え、
前記反射板固定部に前記回転反射板の前記固定板部を固定すると、前記固定板部と、前記支持部材との間に、前記回転反射板が回転するためのクリアランスが確保されるように形成されていることを特徴とする回転灯装置。
【請求項２】
前記反射板固定部に前記回転反射板の前記固定板部を固定すると、前記固定板部と、前記支持部材との間に、前記回転反射板が回転するためのクリアランスが確保されると同時に、前記回転リングの前記内向きフランジ部と、前記支持部材の前記外向きフランジ部とが接触するように形成されていることを特徴とする請求項１記載の回転灯装置。
【請求項３】
前記本体ケースと、前記カバーとの間には、両者を接続するためのつなぎ部を設けたことを特徴とする請求項１又は請求項２記載の回転灯装置。
【請求項４】
請求項１から３までのいずれか１項に記載の回転灯装置を備えた遊技機であって、
前記回転灯装置からの照射光を周囲に回転させる演出が実施可能に形成されていることを特徴とする遊技機。
【発明の詳細な説明】
【技術分野】
【０００１】
この発明は、光源からの照射光を、回転装置により回転する回転反射板に反射させることにより、照射光を周囲に回転させる回転灯装置及びその回転等装置を使用した遊技機に関するものである。
【背景技術】
【０００２】
従来、光源からの照射光を、回転装置により回転する回転反射板に反射させることにより、照射光を周囲に回転させる回転灯装置が、一種の警告灯として使用されている。
一方、従来より、スロットマシンなどの遊技機においては、前扉の上部にアーチランプや液晶などが取り付けられており、これらを用いて種々の演出が行われるように形成されている。そして、特許文献１に示すように、遊技機の演出用デバイスとしてかかる回転灯装置、いわゆる回転警告灯を用いる場合もある。
従来の回転灯装置、いわゆる回転警告灯としては、特許文献２に示すようなものがある。
【特許文献１】特開２００４−７３３２５号公報
【特許文献２】特開平７−２８２３６２号公報
【発明の開示】
【発明が解決しようとする課題】
【０００３】
しかし、上記した従来の回転灯装置では、駆動モータの回転駆動力を、回転反射板に確実に伝達するとともに、スムーズな回転摺動が可能な機構のもので、組立作業が簡単なものにすることは容易ではないといった第１の問題点があった。
また、従来の回転灯装置では、本体ケースに直接、カバーが接続されているので、サイズが異なるカバーは、本体ケースに接続することができない。このため、サイズの異なる複数種類の回転反射板を用意するとともに、これらの回転反射板に対応したサイズ違いのカバーを複数種類用意し、本体ケースについてもサイズ違いのものを複数種類用意する必要があった。このため、サイズの異なる複数種類の回転灯装置を、そのバリエーションとして用意しようとすると、主要部品の共有化が図れず、製作すべき部品の種類が増え、回転灯装置の製造コストが高くなるという第２の問題点があった。
【０００４】
そこで、各請求項にそれぞれ記載された各発明は、上記した従来の技術の有する問題点に鑑みてなされたものであり、その目的とするところは、次の点にある。
（請求項１）  すなわち、請求項１記載の発明は、上記した従来の技術の有する第１の問題点に鑑みてなされたものであり、その目的とするところは、駆動モータの回転駆動力を、回転反射板に確実に伝達するとともに、スムーズな回転摺動が可能で、組立作業が容易な回転灯装置を提供しようとするものである。
（請求項２）  請求項２記載の発明は、上記した請求項１記載の発明の目的に加え、次の点を目的とする。すなわち、請求項２記載の発明は、上下方向のぶれを抑え、ガタツキを抑えた回転灯装置を提供しようとするものである。
【０００５】
（請求項３）  請求項３記載の発明は、上記した請求項１又は請求項２記載の発明の目的に加え、次の点を目的とする。すなわち、請求項３記載の発明は、上記した従来の技術の有する第２の問題点に鑑みてなされたものであり、その目的とするところは、本体ケースと、カバーとの大きさや種類が異なるものを組み合わせることができて、部品の共有化が図れ、製造コストの低減が可能な回転灯装置を提供しようとするものである。
（請求項４）  すなわち、請求項４記載の発明は、上記した従来の技術の有する第１の問題点に鑑みてなされたものであり、その目的とするところは、駆動モータの回転駆動力を、回転反射板に確実に伝達するとともに、スムーズな回転摺動が可能で、組立作業が容易な回転灯装置を備えた遊技機を提供しようとするものである。
【課題を解決するための手段】
【０００６】
（請求項１）
（特徴点）  請求項１記載の発明は、次の点を特徴とする。すなわち、一方側に開口する本体ケース(61)と、前記本体ケース(61)の前記開口を覆うカバー(63)と、照射光を発する光源(65A)を有する光源ユニット(200)と、前記光源(65A)の周囲を回転可能な回転反射板(64)と、前記回転反射板(64)を前記光源(65A)の周囲で回転させるための駆動モータ(68)を有する回転装置(350)と、前記光源(65A)を制御する制御部(400)とを備え、前記本体ケース(61)及び前記カバー(63)の内部に、前記光源ユニット(200)、前記回転反射板(64)、前記回転装置(350)及び前記制御部(400)を内装させるとともに、前記光源(65A)からの照射光を、前記回転装置(350)により回転する前記回転反射板(64)に反射させて、周囲に回転させる回転灯装置(60)において、前記本体ケース(61)は、端部を閉塞する閉塞板(61E)と、前記閉塞板(61E)の周縁から略直角に延設されて前記閉塞板(61E)の周縁を覆う周板(61D)とを備え、前記回転装置(350)は、前記閉塞板(61E)から離すようにして前記本体ケース(61)に固定したベースプレート(61A)と、前記ベースプレート(61A)の反閉塞板(61E)側に、前記光源(65A)及び前記駆動モータ(68)の出力軸の回転に連動する減速機構(500)と、前記回転反射板(64)を固定するとともに前記減速機構(500)を介して前記駆動モータ(68)の回転駆動力が伝達される回転リング(300)とを備え、前記ベースプレート(61A)の前記閉塞板(61E)側の位置に前記制御部(400)及び前記駆動モータ(68)を設けるとともに、前記駆動モータ(68)の出力軸を、前記ベースプレート(61A)の反閉塞板(61E)側に突出させて、前記減速機構(500)を連動させ、前記光源ユニット(200)は、前記光源(65A)と、前記光源(65A)を固定するための光源固定部材(67)と、前記光源固定部材(67)を固定するための支持部材(69)とを備え、前記支持部材(69)は、前記ベースプレート(61A)へ固定するための固定部(69A)と、外側に向かってフランジ状に突出する外向きフランジ部(69B)とを備え、前記回転リング(300)は、前記ベースプレート(61A)の反閉塞板(61E)側に位置して、前記減速機構(500)を介して、前記駆動モータ(68)の出力軸に連動するリングギア(66A)と、前記支持部材(69)の前記外向きフランジ部(69B)の前記ベースプレート(61A)側に位置して、内側に向かってフランジ状に突出する内向きフランジ部(66C)と、反閉塞板(61E)側に設けた前記回転反射板(64)を固定する反射板固定部(66)とを備え、前記回転反射板(64)は、前記反射板固定部(66)に固定される固定板部(64B)と、前記固定板部(64B)に連設された反射板(64A)とを備え、前記反射板固定部(66)に前記回転反射板(64)の前記固定板部(64B)を固定すると、前記固定板部(64B)と、前記支持部材(69)との間に、前記回転反射板(64)が回転するためのクリアランス（具体的には、図１１に示すクリアランスＫ）が確保されるように形成されていることを特徴とする。
【０００７】
（作用）  本発明は、駆動モータ(68)の回転駆動力は、減速機構(500)を介して、回転リング(300)のリングギア(66A)へ伝達される。そして、リングギア(66A)を介して、回転リング(300)が回転し、回転リング(300)の反射板固定部(66)に固定された回転反射板(64)も、同様に回転する。これにより、駆動モータ(68)の回転駆動力を、回転反射板(64)に確実に伝達することができる。
そして、反射板固定部(66)に回転反射板(64)の固定板部(64B)を固定しても、回転反射板(64)の固定板部(64B)と、支持部材(69)との間に、回転リング(300)が回転するためのクリアランスが確保されるように形成されている。これにより、回転反射板(64)へ回転装置(350)の駆動モータ(68)、減速機構(500)及び回転リング(300)を介して回転伝達力が伝達されても、回転反射板(64)の固定板部(64B)と、支持部材(69)との間で、回転摺動による大きな摩擦力が発生することなく、回転反射板(64)のスムーズな回転駆動が可能となる。
【０００８】
また、回転リング(300)の反射板固定部(66)に回転反射板(64)の固定板部(64B)を固定した状態で、固定板部(64B)と、支持部材(69)との間に回転反射板(64)が回転するためのクリアランスが確保されるように形成されているため、反射板固定部(66)と固定板部(64B)との固定を、回転反射板(64)を回転させるための固定板部(64B)と支持部材(69)との間の摩擦状態を考慮しながら行う必要がない。例えば、ネジ等の締結部材を使用して反射板固定部(66)と固定板部(64B)とを固定する場合に、回転反射板(64)が回転できるように固定板部(64B)と支持部材(69)との間の摩擦状態を考慮しながらねじ締め作業を行う必要がなく、ネジ等の締結部材を目一杯、締め付けて固定することができる。これにより、組立作業を容易なものにすることができる。
【０００９】
（請求項２）
（特徴点）  請求項２記載の発明は、上記した請求項１記載の発明の特徴点に加え、次の点を特徴とする。すなわち、前記反射板固定部(66)に前記回転反射板(64)の前記固定板部(64B)を固定すると、前記固定板部(64B)と、前記支持部材(69)との間に、前記回転反射板(64)が回転するためのクリアランスが確保されると同時に、前記回転リング(300)の前記内向きフランジ部(66C)と、前記支持部材(69)の前記外向きフランジ部(69B)とが接触するように形成されていることを特徴とする。
（作用）  本発明は、反射板固定部(66)に回転反射板(64)の固定板部(64B)を固定した状態で、回転反射板(64)の固定板部(64B)と、支持部材(69)との間に回転反射板(64)が回転するためのクリアランスが確保されると同時に、回転リング(300)の内向きフランジ部(66C)と、光源ユニット(200)の外向きフランジ部(69B)とが接触するように形成されている。
【００１０】
ここで、回転反射板(64)と、回転リング(300)とは、反射板固定部(66)を介して、一体に固定されている。そして、回転リング(300)の内向きフランジ部(66C)は、支持部材(69)の外向きフランジ部(69B)のベースプレート(61A)側に位置し、回転反射板(64)の固定板部(64B)は、回転リング(300)の反射板固定部(66)により反閉塞板(61E)側に固定されている。すなわち、回転リング(300)の内向きフランジ部(66C)と、回転反射板(64)の固定板部(64B)との間に、外向きフランジ部(69B)を有する支持部材(69)を挟み込んだ状態となる。これにより、予め定めた所定のクリアランス（具体的には、図１１に示すクリアランスＫ）を超えるような回転反射板(64)の上下方向の移動が阻止され、上下方向のぶれを抑えることができる。また、回転リング(300)及びそれに固定された回転反射板(64)は、支持部材(69)を挟み込んで、ガタツキを抑えた状態で回転摺動が可能となる。
【００１１】
（請求項３）
（特徴点）  請求項３記載の発明は、上記した請求項１又は請求項２記載の発明の特徴点に加え、次の点を特徴とする。すなわち、前記本体ケース(61)と、前記カバー(63)との間には、両者を接続するためのつなぎ部(62)を設けたことを特徴とする。
（作用）  本発明は、本体ケース(61)と、カバー(63)との間に、両者を接続するためのつなぎ部(62)を設けている。このため、サイズの異なる複数種類の回転反射板(64)を用意するとともに、これらの回転反射板(64)に対応したカバー(63)が接続される側のサイズ違いのつなぎ部(62)を用意することにより、本体ケース(61)のサイズはそのままで、回転反射板(64)及びそのカバー(63)の寸法の異なるものを簡単に組み合わせることができる。
【００１２】
これにより、本体ケース(61)と、カバー(63)との大きさや種類が異なるものを、つなぎ部(62)を利用して簡単に組み合わせることができて、部品の共有化が図れ、製造コストの低減が可能となる。
（請求項４）
（特徴点）  請求項４記載の発明は、次の点を特徴とする。すなわち、請求項１から３までのいずれか１項に記載の回転灯装置(60)を備えた遊技機(S)であって、前記回転灯装置(60)からの照射光を周囲に回転させる演出が実施可能に形成されていることを特徴とする。
【００１３】
本発明は、請求項１から３までのいずれか１項に記載の回転灯装置(60)の作用と同一であるため、説明を省略する。
【発明の効果】
【００１４】
本発明は、以上のように構成されているので、以下に記載されるような効果を奏する。
（請求項１）  請求項１記載の発明によれば、次のような効果を奏する。すなわち、請求項１記載の発明によれば、駆動モータの回転駆動力を、回転反射板に確実に伝達するとともに、スムーズな回転摺動が可能で、組立作業が容易な回転灯装置を提供することができる。
（請求項２）  請求項２記載の発明によれば、上記した請求項１記載の発明の効果に加え、次のような効果を奏する。すなわち、請求項２記載の発明によれば、上下方向のぶれを抑え、ガタツキを抑えた回転灯装置を提供することができる。
【００１５】
（請求項３）  請求項３記載の発明によれば、上記した請求項１又は請求項２記載の発明の効果に加え、次のような効果を奏する。すなわち、請求項３記載の発明によれば、本体ケースと、カバーとの大きさや種類が異なるものを組み合わせることができて、部品の共有化が図れ、製造コストの低減が可能な回転灯装置を提供することができる。
（請求項４）  請求項４記載の発明によれば、次のような効果を奏する。すなわち、請求項４記載の発明によれば、駆動モータの回転駆動力を、回転反射板に確実に伝達するとともに、スムーズな回転摺動が可能で、組立作業が容易な回転灯装置を備えた遊技機を提供することができる。
【発明を実施するための最良の形態】
【００１６】
本発明を実施するための最良の形態を、回転灯装置60を取り付けた遊技機としてスロットマシンSを例に、図面に基づき説明する。
（図面の説明）
図１乃至図１６は、本発明の形態を示すものである。
図１及び図２はスロットマシンの斜視図、図３乃至図５は上扉装飾体を表す図、図６乃至図８は回転灯ユニットを表す図、図９はバックライトユニットを表す図、図１０は回転反射板の上面図、図１１は回転反射板の図１０のＥＥ線断面に対応する回転灯装置の縦断面図、図１２は回転反射板の下面図、図１３は回転反射板の図１０のＦＦ線断面図、図１４は回転反射板の外観斜視図、図１５は回転リング及び減速ギア68Bの外観斜視図、図１６は駆動モータ及びランプの概略回路図をそれぞれ示すものである。
【００１７】
本実施の形態におけるスロットマシンSは、図２に示すように、大きく分けて、正面側に開口部11を有する筐体1、筐体1内部に着脱自在に設けられる交換ユニット2、筐体1の開口部11を開閉可能に塞ぐ前扉3とから構成されている。そして、この前扉3は、筐体1の開口上部13を開閉可能に塞ぐ上扉30、筐体1の開口下部14を開閉可能に塞ぐ下扉40とに分割されている。
なお、ここで、「前面」や「前方向」や「手前方向」とは、交換作業者（或いは遊技者）が、スロットマシンSの正面側の前にスロットマシンSの方に顔を向けて座って、或いは、立っているような場合のかかる交換作業者（或いは遊技者）から見た場合の奥から手前への方向を意味する。したがって、前方向や手前方向とは、スロットマシンSの奥から正面へ向かう方向を意味する。
【００１８】
また、「背面」や「後方向」や「奥方向」とは、交換作業者（或いは遊技者）が、スロットマシンSの正面側にスロットマシンSの方を向いて位置しているような場合のかかる交換作業者（或いは遊技者）から見たときの手前から奥への方向を意味する。したがって、後方向とは、スロットマシンSの正面から奥（後ろ）へ向かう方向を意味する。また、本明細書における「左方向」や「右方向」等の左右方向も、かかるスロットマシンSの前面の方を向いて位置している者から見た場合の右方向や、左方向を意味する。
（筐体1）
筐体1は、図２に示すように、底板15及び側板16及び天板17及び裏板18からなる前面（遊技者と対峙する正面）側に開口する箱体であり、高さ方向略中央部には、二つの側板16の間に水平方向に中板12が設けられている。そして、底板15には電源ユニット4が固定され、ホッパーユニット5が設置されている。
【００１９】
ここで、電源ユニット4は、特に図示しないが電源装置が内装されていると共に、ホール管理者が種々の設定を行うためのスイッチ等を有している。ホッパーユニット5はメダルを貯留するとともに入賞時等にはメダルを払い出す払い出し装置である。電源ユニット4及びホッパーユニット5は、いわゆる「面替え」に際し、必ずしも交換する必要のないものであり、遊技機交換時には設置されたままにしておけるようになっているものである。
また、正面左側の側板16には、前記上扉30及び下扉40を係合させ、回転自在に支持するためのヒンジ19が、上下方向に間隔をおいて二つずつ設けられている。
（交換ユニット2）
交換ユニット2は、種々の部品を設置あるいは固定するための支持体21と、この支持体21に固定されたリールユニット20及び基板ユニット24とから形成されている。
【００２０】
支持体21は、方形状の金属枠からなり、リールユニット20及び基板ユニット24を筐体内部に着脱自在に固定するとともに、リールユニット20及び基板ユニット24を一体的に取り扱い可能とするものである。なお、支持体21は、他の構成部品（例えば演出用の表示装置）を固定設置可能であってもかまわない。
ここで、リールユニット20は、スロットマシンSの主たる遊技装置であって、周囲に複数の図柄を表示した３個の回転リール23と、特に図示しないが、各回転リール23を回転させるための駆動モータを有している。また、前記基板ユニット24は、基板ケース内に種々の電子部品を搭載した制御基板を収納したものであり、遊技及びスロットマシンSの作動を制御するための主基板24Aと、各種演出を行うための副基板24Bを備えている。
【００２１】
そして、主基板24Aは、スロットマシンSの遊技を司る遊技制御手段450を備えているものである。
交換ユニット2は、筐体1の中板12の上に乗せ、開口上部13内部に収納されるものである。そして、交換ユニット2は、筐体1の側板16の内側に設けられたクリップなどの固定装置（図示せず）により筐体1に固定される。
（上扉30）
上扉30は、筐体1のヒンジ19に回転自在に軸支された板状の扉であり、図１に示すように、略中央部に前記回転リール23を正面側から見ることができる図柄表示窓31Aを有し、図柄表示窓31Aの上方には、演出表示を行うための上扉装飾体6が設けられている。すなわち、上扉30は、図３に示すように、上扉30の骨格となる扉枠32に、前記図柄表示窓31Aを有する上パネル31が固定されているとともに、扉枠32の正面側に設けられた装飾体固定部32A,32Bを介して、上扉装飾体6を着脱自在に取り付け可能な構成となっている。
【００２２】
ここで、装飾体固定部32A,32Bは、上扉装飾体6の背面側に設けられたネジ孔を有する扉枠固定部（図示せず）と合致する貫通孔であり、扉枠32の背面側から図示しないネジでネジ止めすることにより、上扉装飾体6を固定することができるものである。
また、図２及び図３に示すように、扉枠32の高さ方向略中央部の左右両端部には、音声を出力するためのスピーカ装置35が裏面側から取り付けられている。そして、扉枠32の正面側に設けられた開口部から、スピーカ装置35のスピーカコーンが正面側に向かって配置されている。
上扉30を閉じると、ヒンジ19の反対側に設けられたラッチ錠により自動的にロックされ、筐体1の開口上部13が密閉される。また、下扉40を解放した状態で、特に図示しないが扉枠32の下側に設けられた解除つまみを下方に引き下げることにより、上扉30のロックが解除されるようになっている。
【００２３】
（下扉40）
下扉40は、筐体1のヒンジ19に回転自在に軸支された上扉30よりも幅厚の扉であり、図１に示すように、下扉40の上部は、スロットマシンSを作動させるためのカウンター状の操作部41となっている。また、下扉40の下部には、ホッパーユニット5から払い出されたメダルを貯めておくことができる下皿46が形成されており、下皿46と前記操作部41の間には、遊技内容その他の表示をするための下パネル47が嵌め込まれている。
前記操作部41としては、下扉40の上面右端にはメダル投入口42及び上面左側に設けられたベットスイッチ43、正面側にはスタートスイッチ44及びストップスイッチ45及び鍵穴40Aが設けられている。なお、ベットスイッチ43とは、貯留メダルをメダル投入に代えるためのものであり、スタートスイッチ44及びストップスイッチ45は、回転リール23の回転を開始及び停止させるためのものである。また、鍵穴40Aは、前扉3を解錠するためのものである。
【００２４】
なおスロットマシンSは、主基板24Aにより行われる当選判定の抽選結果が所定の当選役に当選し、前記ストップスイッチ45の操作により当選図柄が入賞の態様となるように回転リール23を停止させることができると入賞となり、ホッパーユニット5から遊技メダルが払い出されたり、ボーナスゲームなどの有利な遊技が開始されるようになっている。
さらに、図２に示すように、下扉40の裏面側には、前記メダル投入口42から投入されたメダルを誘導しながらメダルの正偽を判断するためのメダルセレクター48が設けられている。そして、下扉40を閉めると、ラッチ錠により自動的にロックされ、筐体1の開口下部14が密閉されるものである。また、前記鍵穴40Aに所定の鍵を差し込んで回すと、下扉40のロックが解除され、下扉40を解放することにより、上扉30のロックを解除することができるようになっている。
【００２５】
（上扉装飾体6）
次に、上扉装飾体6の詳細な構成を説明する。ここで、図４は上扉装飾体6の正面図、図５は、図４のＡ−Ａ線断面図をそれぞれ示すものである。
上扉装飾体6は、図１及び図３に示すように、上扉30の正面上部に着脱自在に固定される演出用ブロックであって、中空箱形の本体ベース50に種々の演出用デバイスを取り付けた構造になっている。具体的には、図３に示すように、本体ベース50の正面上側中央部及び正面上側角隅部には電飾体90が、正面下側の左右にはスピーカボックス70がそれぞれ設けられている。また、本体ベース50の内部には、回転灯装置60が設けられ、この回転灯装置60の背面側には、発光面88を有するバックライトユニット80が設けられている。
【００２６】
そして、本体ベース50の正面は、透明なプラスチックにより成型した正面視略Ｙ字型の正面カバー58により覆われており、図４に示すように、この正面カバー58を通して、正面側から前記回転灯装置60のカバー63及びバックライトユニット80の発光面88を見ることができるようになっている。
（本体ベース50）
本体ベース50は、正面側から背面側に貫通する空間部51（図４）を有する中空の枠部材であって、上扉30の扉枠32に取り付けられる方形の固定枠50Cの上部から手前側（本体ベース50を扉枠32に取り付けたときの正面側）に張り出す庇部50Aと、固定枠50Cの下部から手前側に張り出す底部突起50Bを有している。
【００２７】
そして、前記庇部50Aの下方に回転灯装置60を固定すると、図４に示すように、前記凹部52に回転灯装置60のカバー63が位置するようになっており、さらに、本体ベース50の背面側からバックライトユニット80を取り付け、正面側から正面カバー58を取り付けると、空間部51が閉塞されるようになっている。
（回転灯装置60）
前記回転灯装置60は、図４に示すように、本体ベース50の庇部50Aの下方に固定される演出用ユニットである。
前記回転灯装置60は、一方側に開口する本体ケース61と、この本体ケース61の開口を覆うカバー63と、本体ケース61及びカバー63の間に位置して、両者を接続するためのつなぎ部62と、照射光を発する光源65Aを有する光源ユニット200と、光源65Aの周囲を回転可能な回転反射板64と、回転反射板64を光源65Aの周囲で回転させるための駆動モータ68を有する回転装置350と、光源65Aを制御する制御部400とを備えている。
【００２８】
前記回転灯装置60は、本体ケース61及びカバー63の内部に、光源ユニット200、回転反射板64、回転装置350及び制御部400を内装させるとともに、光源65Aからの照射光を、回転装置350により回転する回転反射板64に反射させて、カバー63を透過した照射光を周囲に回転させることができるように形成されている。
前記本体ケース61は駆動モータ68その他の駆動部品を収納するためのケースである。そして、本体ケース61は、端部を閉塞する閉塞板61Eと、閉塞板61Eの周縁から延設されて閉塞板61Eの周縁を覆う周板61Dとを備えている。
前記カバー63は内蔵される光源65Aとしてのランプ65の光を透過させる断面略Ｕ字型の着色カバーである。また、つなぎ部62は、本体ケース61にカバー63を取り付けるためのものである。そして、カバー63の内部に配置された回転反射板64を回転させることにより、ランプ65の光が投射される方向を回転変位させることができるようになっている。
【００２９】
具体的には、回転灯装置60は、照射光を発する光源65Aとしてのランプ65と、ランプ65の周囲を回転可能な回転反射板64と、この回転反射板64をランプ65の周囲で回転させる回転装置350とを備えている。そして、この回転灯装置60は、光源65A（ランプ65）からの照射光を、回転装置350により回転する回転反射板64に反射させることにより、照射光を周囲に回転させる演出が可能に形成されている。
前記回転灯装置60は、光源65A及び回転装置350を別個に制御可能に形成されている。すなわち、回転灯装置60は、光源65Aとしてのランプ65と、回転装置350の駆動モータ68とを、それぞれ別個に制御することができるように形成されている。ここで、別個に制御するとは、ランプ65及び駆動モータ68の作動のオンオフが両者共通して行われるのではなく、ランプ65の点灯及び消灯と、駆動モータ68の回転駆動状態及び停止状態とが、それぞれ別個に制御することができることを意味する。そして、図１６に示すように、光源65Aと、回転装置350の駆動モータ68とは、異なる電源を使用して、それぞれ別個に制御されている。光源65Aとしてのランプ65は、遊技制御手段450からの制御信号に基づいて、ランプ65の点灯及び消灯を制御するための光源制御手段420により、点灯及び消灯が制御されるように形成されている。また、回転装置350の駆動モータ68は、遊技制御手段450からの制御信号に基づいて、駆動モータ68を制御するための駆動モータ制御手段410により、駆動モータ68の回転駆動状態及び停止状態や、回転駆動状態における回転速度の変更が制御されるように形成されている。
【００３０】
そして、回転灯装置60は、光源65Aが点灯した状態で、回転反射板64を回転させる点灯回転状態と、光源65Aが消灯した状態で、回転反射板64を回転させる消灯回転状態とを実施可能に形成されている。
前記本体ケース61は、底部（本体ベース50への取り付け時において下方となる側）が開口する筒体であって、底部開口の対向側の表面（本体ベース50への取り付け時において上面となる面）である閉塞板61Eには、立設された板部材に貫通孔を有する位置決め部61Bが二つ並んで設けられている。また、本体ケース61の周板61Dの両側面（本体ベース50への取り付け時において左右となる側面）には、横方向に張り出し貫通孔を有する取り付け部61Cが設けられている。そして、前記位置決め部61Bの貫通孔には、回転灯支持突起59Bを挿入させることができ、位置決め部61Bの貫通孔に回転灯支持突起59Bを挿入させた状態で、回転灯固定部59Cのネジ孔と前記取り付け部61Cの貫通孔が合致するようになっている。
【００３１】
前記回転装置350は、閉塞板61Eから離すようにして本体ケース61に固定したベースプレート61Aと、ベースプレート61Aの反閉塞板61E側に、光源65A及び駆動モータ68の出力軸の回転に連動する減速機構500と、回転反射板64を固定するとともに減速機構500を介して駆動モータ68の回転駆動力が伝達される回転リング300とを備えている。
そして、回転装置350は、ベースプレート61Aの閉塞板61E側の位置に制御部400及び駆動モータ68を設けるとともに、駆動モータ68の出力軸を、ベースプレート61Aの反閉塞板61E側に突出させて、減速機構500を連動させるように形成されている。
前記ベースプレート61Aは、本体ケース61の内部に位置して、本体ケース61の下方側に開口する開口部を塞ぐように、嵌め込まれている。
【００３２】
前記駆動モータ68は、ベースプレート61Aの内側（本体ケース61の筒内側）に位置して、モータ軸の先端にモータギア68Aを有している。前記モータギア68Aは、前記ベースプレート61Aから外側（反駆動モータ68側）に突出しており、ベースプレート61Aの外面には、前記モータギア68Aと噛合する減速ギア68Bが取り付けられている。ここで、減速ギア68Bは、大歯車である大径減速ギア68Cと、小歯車である小径減速ギア68Dとが同軸に形成された二段ギアである。この減速ギア68Bの大径減速ギア68Cとモータギア68Aとが噛合する位置に取り付けられている。この減速ギア68Bにより、駆動モータ68の回転軸の回転速度を減速するための減速機構500を形成しているものである。
【００３３】
前記光源ユニット200は、光源65Aとしてのランプ65と、光源65Aとしてのランプ65を固定するためのソケットである光源固定部材67と、光源固定部材67を固定するための支持部材69とを備えている。
前記光源固定部材67は、いわゆるソケットであり、光源65Aとしてのランプ65の口金をねじ込む受け口により、ランプ65を固定するとともに、ランプ65へ電気を供給するためのものである。
前記支持部材69は、ベースプレート61Aへ締結部材により固定するための固定部69Aと、外側に向かってフランジ状に突出する外向きフランジ部69Bとを備えている。この支持部材69に、ランプ65を差し込むソケットとしての光源固定部材67が固定されている。そして、この支持部材69には、リング状の前記回転リング300が水平方向に回動可能に取り付けられている。
【００３４】
前記回転リング300は、ベースプレート61Aの反閉塞板61E側に位置して、減速機構500を介して、駆動モータ68の出力軸に連動するリングギア66Aと、支持部材69の外向きフランジ部69Bのベースプレート61A側に位置して、内側に向かってフランジ状に突出する内向きフランジ部66Cと、反閉塞板61E側に設けた回転反射板64を固定する反射板固定部66とを備えている。
前記回転リング300は、回転反射板64に前記駆動モータ68の回転を伝達して回転させるためのものであり、本体ケース61側にリングギア66Aが形成されている。そして、この回転リング300は、リングギア66Aの反対面の反射板固定部66に回転反射板64を固定可能に形成されている。そして、リングギア66Aと前記減速ギア68Bの小径減速ギア68Dが噛合することにより、駆動モータ68のモータ軸の回転が伝達され、駆動モータ68の駆動に伴い回転反射板64が回転リング300と一体で回転するようになっている。
【００３５】
前記回転リング300の反射板固定部66は、円板状の周囲に４個、形成されている孔である。具体的には、図１５に示すように、反射板固定部66は、内面にねじが切られていない貫通孔である２個の差込孔66Fと、内面にねじが切られている貫通孔である２個の締結孔66Eとから形成されている。２個の差込孔66Fは、円周上に互いに略対向するような位置に形成され、２個の締結孔66Eも、円周上に互いに略対向するような位置に形成されている。差込孔66Fは、後述する回転反射板64の固定板部64Bの差込棒64Eが挿入される案内用の孔である。また、締結孔66Eは、その中心軸が後述する回転反射板64の固定板部64Bの固定用貫通孔64Fの中心軸と整合するような位置に形成されてあり、回転反射板64を固定するための反射板締結ネジ520がねじ込まれるものである。
【００３６】
前記回転反射板64は、回転中心側に向く凹面を有する反射板64Aと、薄型円筒状の固定板部64Bとから成り、固定板部64Bを回転リング300の反射板固定部66に固定したときに、固定板部64Bの中央に形成された反射板丸孔64Cから、支持部材69に取り付けたランプ65が突出するようになっている。そして、このランプ65の外周側に前記反射板64Aが位置し、回転反射板64が回転することにより、反射板64Aがランプ65を中心にして周囲を回るようになっている。
前記回転反射板64の固定板部64Bの上面側には、同一円周上に４個の反射取り付け部64Dが形成されている。この４個の反射取り付け部64Dは、回転リング300の反射板固定部66と整合する位置に形成されている。具体的には、反射取り付け部64Dは、円柱形の棒状であって、上方に突出する２個の差込棒64Eと、内面にねじが切られてなく、表裏に貫通する２個の固定用貫通孔64Fとから形成されている。２個の差込棒64Eは、円周上に互いに略対向するような位置に形成され、２個の固定用貫通孔64Fも、円周上に互いに略対向するような位置に形成されている。差込棒64Eは、回転リング300の差込孔66Fに挿入して、固定板部64Bを回転リング300に固定するための位置決め用の棒状突起である。固定用貫通孔64Fは、差込棒64Eが差込孔66Fに挿入された状態で、固定用貫通孔64Fの中心軸が、回転リング300の締結孔66Eの中心軸と整合するような位置に形成されている。そして、固定用貫通孔64Fは、回転反射板64を回転リング300に固定するための反射板締結ネジ520が挿入されるものである。
【００３７】
前記回転リング300の反射板固定部66に回転反射板64の固定板部64Bの反射取り付け部64Dを固定すると、図１１に示すように、固定板部64Bと、支持部材69との間に、回転反射板64が回転するためのクリアランスＫが確保されるように形成されている。
すなわち、図８に示すように、回転反射板64の固定板部64Bの差込棒64Eを、回転リング300の差込孔66Fに差し込む。そして、図１１に示すように、回転反射板64の固定板部64Bの固定用貫通孔64Fの上面を回転リング300の締結孔66Eの下面に整合させて、下方から反射板締結ネジ520をねじ込む。このようにすると、図１１に示すように、固定板部64Bの中心軸側、すなわち固定板部64Bの光源固定部材67に接する周囲の上面と、支持部材69の中心側の下面との間に、回転反射板64が回転するためのクリアランスＫ（図１１）が確保されるように形成されているものである。
【００３８】
これにより、回転反射板64の固定板部64Bの中心軸側の上面が、支持部材69の中心軸側の下面との間で、接触しないように配置されるものである。したがって、回転反射板64のスムーズな回転を担保することができるものである。
更に、かかるクリアランスＫが確保されると同時に、回転リング300の内向きフランジ部66Cの下面と、支持部材69の外向きフランジ部69Bの上面とが接触するように形成されている。すなわち、回転反射板64の固定板部64Bの中心軸側の上面と支持部材69の中心軸側の下面との間には回転反射板64が回転するためのクリアランスＫが形成され、更に、内向きフランジ部66Cと外向きフランジ部69Bとが接触するように形成されてある。これにより、回転リング300の内向きフランジ部66Cと、回転反射板64の固定板部64Bとの間に、外向きフランジ部69Bを有する支持部材69の一部を挟み込んだ状態となる。すなわち、支持部材69の外向きフランジ部69Bを含む一部を回転リング300及び固定板部64Bにより上下から挟み込んだ状態にすることができる。
【００３９】
その際、反射板締結ネジ520の周囲はねじ溝を有し、固定板部64Bの固定用貫通孔64Fの内面には、ねじが切られておらず、回転リング300の締結孔66Eの内面には、ねじが切られている。したがって、固定用貫通孔64F及び締結孔66Eの中心軸が同一軸となるように整合した状態で、下方から反射板締結ネジ520をねじ込むと、反射板締結ネジ520の頭部と、締結孔66Eとの間に、固定用貫通孔64Fを挟み込んだ状態で両者を締結することができるものである。これで、回転リング300と、固定板部64Bとは、反射板締結ネジ520を介して、一体に固定されている。その状態において、回転リング300の内向きフランジ部66Cの下面と、固定板部64Bの中心軸側の上面との間の距離は、支持部材69の外向きフランジ部69Bの上面と、支持部材69の中心軸側の下面との間の距離よりも、僅かにクリアランスＫの距離だけ大きくなるように設定されているものである。
【００４０】
これにより、クリアランスＫを超えるような回転反射板64の固定板部64Bの上下方向の移動が阻止され、上下方向のぶれを、クリアランスＫの範囲内に抑えることができる。また、回転リング300及びそれに固定された回転反射板64の固定板部64Bは、支持部材69を挟み込んで、ガタツキを抑えた状態で回転摺動が可能となる。
なお、ここで、本形態では、回転灯装置60は、図８に示すようにカバー63が本体ケース61の下になるように取り付けているため、回転リング300の下面側に回転反射板64の固定板部64Bを固定している。かかる場合は、上述したような支持部材69の中心軸側の下面と、固定板部64Bの中心軸側の上面との間にクリアランスＫが発生する。しかし、クリアランスＫが発生する位置は、必ずしもこれに限定されるものではない。仮に、カバー63が本体ケース61の上になるように取り付けた場合は、上述した回転灯装置60は、上下が逆になる。このように、回転反射板64が、支持部材69の上方になるように回転灯装置60を配置して、回転リング300の反射板固定部66に回転反射板64の固定板部64Bを反射板締結ネジ520を介して固定すると、回転リング300の内向きフランジ部66Cの上面と、支持部材69の外向きフランジ部69Bの下面との間に、回転リング300が回転するためのクリアランスＫが確保されることになる。そして、かかるクリアランスＫが確保されると同時に、回転反射板64の固定板部64Bの中心軸側の下面と、支持部材69の中心軸側の上面とが接触することになる。これにより、本形態の場合と同様の作用及び効果を奏することができるものである。
【００４１】
前記つなぎ部62は、つなぎ取り付け部62Cを介して本体ケース61に着脱自在に固定される環状部材であり、つなぎ取り付け部62Cの反対側の外周には、カバー63の内側に形成されたカバーネジ部63Aと螺合するつなぎネジ部62Bが形成されている。また、つなぎ部62の円形のつなぎ開口部62Aは、回転反射板64の固定板部64Bの直径よりも大きく形成されており、つなぎ部62を本体ケース61に固定した状態で、回転反射板64が回転可能となるよう形成されている。
そして、回転灯装置60は、位置決め部61Bの貫通孔に回転灯支持突起59Bを貫通させて、本体ベース50に本体ケース61を仮固定した状態で、取り付け部61Cと回転灯固定部59Cを背面側からネジ止めすることにより、庇部50Aの下方に吊り下げ固定される。このようにして固定した回転灯装置60は、図４に示すように、つなぎ部62及び本体ケース61が庇部50Aの正面側垂下壁の後ろ側に隠れ、カバー63のみが正面側から視認可能となる。
【００４２】
回転灯装置60を用いた演出としては、通常時はランプ65を消灯しておくとともに回転反射板64も停止させておき、遊技中の所定時に、ランプ65を点灯させて回転反射板64を回転させることにより、あるいはランプ65は消灯したまま回転反射板64のみを回転させることにより、当選や入賞を報知することができる。
本形態では、回転灯装置60の光源65A及び回転反射板64は、その周囲を共に有色のカバー63で覆われている。光源65Aからの照射光は、透過性があり、且つ有色のカバー63を通過しているため、照射光をカバー63の有色の色が付いたものにすることができる。そして、光源65A及び回転反射板64が、その周囲をカバー63で覆われているため、カバー63の有色の濃さの程度によっては、回転反射板64の回転の動きを目立たなくすることができる。これにより、点灯回転状態においては、有色の照射光だけが、周囲に回転するように見せることが可能となり、消灯回転状態よりも、報知能力の高い演出が可能となる。そして、消灯回転状態において、回転反射板64の回転の様子を、周囲の者に気づかせることは、点灯回転状態よりも難しくすることができる。したがって、回転灯装置60を注意深く観察している者でなければ、消灯回転状態であることを見過ごす可能性も高くなるような、いわゆる報知能力の低い演出態様にすることが可能となる。このように、報知能力の異なる演出態様が可能となる。
【００４３】
なお、ここで、特に図示していないが、回転灯装置60の光源65Aだけの周囲を透光性があり、且つ有色のカバー63で覆い、そのカバー63の周囲を回転反射板64が回転するように形成しても良いものである。すなわち、カバー63に覆われたランプ65の周囲を、むき出しになった回転反射板64が回転するものである。このように形成すると、回転反射板64がカバー63で覆われていないため、カバー63の周囲を回転する回転反射板64の動きを周囲から直接、見ることができて、回転反射板64の僅かな回転でも、観察することが可能となる。
（スピーカボックス70）
前記スピーカボックス70は、扉枠32に固定されたスピーカ装置35から出力される音声を、スロットマシンSの正面側に向けさせるためのものである。
【００４４】
（バックライトユニット80）
バックライトユニット80は、図４及び図９に示すように、回転灯装置60の背面側に設置される板状の演出用ユニットであって、ベースケース81と、ベースケース81内に収納される導光板82と、導光板82の表面を覆うように前記ベースケース81に取り付けられる照射背面板83を有している。前記照射背面板83は、回転灯装置60の背後に位置して、ランプ65からの光が回転反射板64に反射して、かかる照射光が照射されるように形成されている。
ベースケース81は、略長方形の板部材の周囲に縁部を形成した薄型箱状のケースであり、縁部に囲まれた凹部に導光板収納部84が形成されている。そして、ベースケース81の上縁部外側には、本体ベース50の背面側に設けられたバックライト固定部59Aに固定するための取り付け部81Aが設けられている。一方、ベースケース81の下縁部内側にはＬＥＤ素子86を搭載したＬＥＤ基板が複数個設けられており、下縁部内側には、バックライトユニット80を本体ベース50に取り付ける際にバックライトユニット80を支持するための脚部81B及び垂下突起81Cが設けられている。さらに、前記導光板収納部84の上側であって縁部に囲まれた凹部の中央部には、ボス85が形成されているとともに、ボス85の両側には、上方に向かって爪部を有する二個の係止爪81a,81aが間隔をあけて設けられている。また、前記導光板収納部84の下端部であって、前記係止爪81a,81aの下方には、下側に向かって爪部を有する二個の係止爪81b,81bが間隔をあけて設けられている。
【００４５】
ここで、前記脚部81Bは、本体ベース50に収納固定したスピーカボックス70のバックライト支持部59Dに上側から引っ掛けることができるようになっており、前記垂下突起81Cは、バックライトユニット80を本体ベース50に装着したときに、バックライト支持部59Dにより下方から支持されるようになっている。
前記導光板82は、導光板収納部84に収納される薄板状の透光部材であって、設置時における下端面からの入光を正面側に拡散させることができるように形成されている。例えば、特に図示しないが、背面側に凹凸を形成して下端面からの光線を正面側に反射させるようになっている。そして、導光板82を導光板収納部84に収納設置すると、その下端面がベースケース81に設けられたＬＥＤ素子86の上側に位置するようになっている。
【００４６】
前記照射背面板83は、ベースケース81の正面側を覆うように取り付けられる透光性を有するものであって、特に図示しないが、表面にはキャラクターの絵などが印刷されている。また、照射背面板83の中央上端部には、前記ボス85を挿入可能な位置決め孔87が形成されており、この位置決め孔87の両側には、ベースケース81の係止爪81a,81aと係合可能な長孔である係止孔83a,83aが設けられている。また、照射背面板83の下端部には、ベースケース81の係止爪81b,81bと係合可能な長孔である係止孔83b,83bが設けられている。
そして、照射背面板83は、係止爪81a,81aと係止孔83a,83a、係止爪81b,81bと係止孔83b,83bの係合により、ベースケース81に固定されるものである。照射背面板83をベースケース81に取り付ける際には、前記ボス85を位置決め孔87に挿入させることにより、前記係止爪81a,81bと係止孔83a,83bの位置を合致させることができるので、容易に取り付けを行うことができるものである。
【００４７】
バックライトユニット80は、ベースケース81に導光板82を収納した状態で、ＬＥＤ素子86を発光させると、導光板82の正面側が発光し、照射背面板83がこの光を透過して、照射背面板83の表面が発光して見える。すなわち、導光板82と照射背面板83により、バックライトユニット80の発光面88が形成されることとなる。
また、バックライトユニット80を本体ベース50に装着する場合には、脚部81Bをスピーカボックス70のバックライト支持部59Dに引っ掛けてから、バックライト支持部59Dを支点として上部を回動させ、固定部81Aとバックライト固定部59Aを合致させて、背面側からネジ止めする。
【００４８】
バックライトユニット80を用いた演出の具体例としては、例えば通常時にはＬＥＤ素子86をすべて発光させて発光面88を点灯状態にしておき、遊技中の所定時にＬＥＤ素子86をすべて消灯して発光面88の全体を消灯状態にさせたり、あるいは複数あるＬＥＤ素子86を交互に又は順次点灯点滅させて、発光面88の一部を点灯状態とさせたり、発光面88が端から徐々に点灯又は消灯状態となっていくような表示を行うことにより、当選や入賞を報知することができる。
（作用）  本形態によれば、駆動モータ68の回転駆動力は、減速機構500を介して、回転リング300のリングギア66Aへ伝達される。そして、リングギア66Aを介して、回転リング300が回転し、回転リング300の反射板固定部66に固定された回転反射板64も、同様に回転する。これにより、駆動モータ68の回転駆動力を、回転反射板64に確実に伝達することができる。
【００４９】
そして、反射板固定部66に回転反射板64の固定板部64Bを固定しても、回転反射板64の固定板部64Bの中心軸側の上面と、支持部材69の中心軸側の下面との間に、回転リング300が回転するためのクリアランスＫが確保されるように形成されている。これにより、回転反射板64へ回転装置350の駆動モータ68、減速機構500及び回転リング300を介して回転伝達力が伝達されても、回転反射板64の固定板部64Bの上面と、支持部材69の下面との間で、回転摺動による大きな摩擦力が発生することなく、回転反射板64のスムーズな回転駆動が可能となる。
また、反射板固定部66に回転反射板64の固定板部64Bを固定した状態で、固定板部64Bと、支持部材69との間に回転反射板64が回転するためのクリアランスＫが確保されるように形成されているため、反射板固定部66と固定板部64Bとの固定を、回転反射板64を回転させるために、固定板部64Bと支持部材69との間の摩擦状態を考慮しながら行う必要がない。反射板締結ネジ520を使用して両者を固定する場合に、回転反射板64が回転できるように固定板部64Bと支持部材69との間の摩擦状態を考慮しながらねじ締め作業を行う必要がなく、ネジ等の締結部材を目一杯、締め付けて固定することができる。これにより、組立作業を容易なものにすることができる。
【００５０】
本形態は、反射板固定部66に回転反射板64の固定板部64Bを固定した状態で、回転反射板64の固定板部64Bの中心軸側の上面と、支持部材69の中心軸側の下面との間に回転反射板64が回転するためのクリアランスＫが確保されると同時に、回転リング300の内向きフランジ部66Cの下面と、支持部材69の外向きフランジ部69Bの上面とが接触するように形成されている。
ここで、回転反射板64と、回転リング300とは、反射板締結ネジ520により反射板固定部66を介して、一体に固定されている。そして、回転リング300の内向きフランジ部66Cは、支持部材69の外向きフランジ部69Bのベースプレート61A側に位置し、回転反射板64の固定板部64Bは、回転リング300の反射板固定部66により反閉塞板61E側に固定されている。すなわち、回転リング300の内向きフランジ部66Cと、回転反射板64の固定板部64Bとの間に、外向きフランジ部69Bを有する支持部材69を挟み込んだ状態となる。これにより、予め定めた所定のクリアランスＫを超えるような回転反射板64の上下方向の移動が阻止され、上下方向のぶれを抑えることができる。また、回転リング300及びそれに固定された回転反射板64は、支持部材69を挟み込んで、ガタツキを抑えた状態で回転摺動が可能となる。
【００５１】
本形態は、本体ケース61と、カバー63との間に、両者を接続するためのつなぎ部62を設けている。このため、サイズの異なる複数種類の回転反射板64を用意するとともに、これらの回転反射板64に対応したカバー63が接続される側のサイズ違いのつなぎ部62を用意することにより、本体ケース61のサイズはそのままで、回転反射板64及びそのカバー63の寸法の異なるものを簡単に組み合わせることができる。
これにより、本体ケース61と、カバー63との大きさや種類が異なるものを、つなぎ部62を利用して簡単に組み合わせることができて、部品の共有化が図れ、製造コストの低減が可能となる。
【図面の簡単な説明】
【００５２】
【図１】本発明の形態であって、スロットマシンの外観斜視図である。
【図２】本発明の形態であって、前扉を開いたスロットマシンの斜視図である。
【図３】本発明の形態であって、上扉装飾体を取り外した上扉の斜視図である。
【図４】本発明の形態であって、上扉装飾体の正面図である。
【図５】本発明の形態であって、図４のＡ−Ａ線断面図である。
【図６】本発明の形態であって、回転灯装置の外観斜視図である。
【図７】本発明の形態であって、回転灯装置の分解斜視図である。
【図８】本発明の形態であって、回転灯装置の断面図である。
【図９】本発明の形態であって、バックライトユニットの分解斜視図である。
【図１０】本発明の形態であって、回転反射板を示す上面図である。
【図１１】本発明の形態であって、回転反射板の図１０のＥＥ線断面に対応する回転灯装置を示す縦断面図である。
【図１２】本発明の形態であって、回転反射板を示す下面図である。
【図１３】本発明の形態であって、回転反射板の図１０のＦＦ線断面図である。
【図１４】本発明の形態であって、回転反射板を示す外観斜視図である。
【図１５】本発明の形態であって、回転リング及び減速ギアを示す外観斜視図である。
【図１６】本発明の形態であって、駆動モータ及びランプを示す概略回路図である。
【符号の説明】
【００５３】
S  遊技機としてのスロットマシン        1  筐体
2  交換ユニット                        3  前扉
4  電源ユニット                          5  ホッパーユニット
6  上扉装飾体                          11  開口部
12  中板                                13  開口上部
14  開口下部                            15  底板
16  側板                                17  天板
18  裏板                                19  ヒンジ
20  リールユニット                      21  支持体
23  回転リール                          24  基板ユニット
24A  主基板                            24B  副基板
30  上扉                                31  上パネル
31A  図柄表示窓                        32  扉枠
32A  装飾体固定部                      32B  装飾体固定部
35  スピーカ装置                        40  下扉
40A  鍵穴                              41  操作部
42  メダル投入口                        43  ベットスイッチ
44  スタートスイッチ                    45  ストップスイッチ
46  メダル皿                            47  下パネル
48  メダルセレクター                    50  本体ベース
50A  庇部                              50B  底部突起
50C  固定枠                            51  空間部
52  凹部                                58  正面カバー
59A  バックライト固定部                59B  回転灯支持突起
59C  回転灯固定部                      59D  バックライト支持部
60  回転灯装置                          61  本体ケース
61A  ベースプレート                    61B  位置決め部
61C  取り付け部                        61D  周板
61E  閉塞板                            62  つなぎ部
62A  つなぎ開口部                      62B  つなぎネジ部
62C  つなぎ取り付け部                  63  カバー
63A  カバーネジ部                      64  回転反射板
64A  反射板                            64B  固定板部
64C  反射板丸孔                        64D  反射取り付け部
64E  差込棒                            64F  固定用貫通孔
65  ランプ                              65A  光源
66  反射板固定部                        66A  リングギア
66C  内向きフランジ部                  66F  差込孔
66E  締結孔                            67  光源固定部材
68  駆動モータ                          68A  モータギア
68B  減速ギア                          68C  大径減速ギア
68D  小径減速ギア                      69  支持部材
69A  固定部                            69B  外向きフランジ部
70  スピーカボックス                    80  バックライトユニット
81  ベースケース                        81A  取り付け部
81a  係止爪                            81B  脚部
81b  係止爪                            81C  垂下突起
82  導光板                              83  照射背面板
83a  係止孔                            83b  係止孔
84  導光板収納部                        85  ボス
86  ＬＥＤ素子                          87  位置決め孔
88  発光面                              90  電飾体
200  光源ユニット                      300  回転リング
350  回転装置                          400  制御部
410  駆動モータ制御手段                420  光源制御手段
450  遊技制御手段                      500  減速機構
520  反射板締結ネジ
【図１】
2008029665.tif 000003
【図２】
2008029665.tif 000004
【図３】
2008029665.tif 000005
【図４】
2008029665.tif 000006
【図５】
2008029665.tif 000007
【図６】
2008029665.tif 000008
【図７】
2008029665.tif 000009
【図８】
2008029665.tif 000010
【図９】
2008029665.tif 000011
【図１０】
2008029665.tif 000012
【図１１】
2008029665.tif 000013
【図１２】
2008029665.tif 000014
【図１３】
2008029665.tif 000015
【図１４】
2008029665.tif 000016
【図１５】
2008029665.tif 000017
【図１６】
2008029665.tif 000018